(57)【要約】【課題】  着信側端末が通信相手や通信の内容によって通信料金を負担するかどうかを判断できるようにする。【解決手段】  料金装置５は着信側端末１から着信側料金負担符号である特定識別符号を受信する。記録装置６は着信側端末１の端末識別コードと現在の時刻を基に着信側端末１の端末識別コードが含まれ、かつ現在の時刻に最も近い通信料金フィールドを検索し、該フィールドに含まれる発信側端末２の通信料金フィールドの端末識別コード、着信側端末１の端末識別コード通信時刻、通信料金を料金装置５へ返す。料金装置５では、記録装置６から受け取った通信料金フィールドの通信料金を料金比率符号にしたがって減算して、減算後の料金を発信側端末１の通信料金フィールドへ記録し、着信側端末１の通信料金フィールドに前記減算額に相当する通信料金を着信側負担分として記録する。【選択図】      図１
2005236628.tif 000002
【特許請求の範囲】
【請求項１】
端末同士が通信網を介して通信を行い、通信終了後に発信側端末に通信料金が課金される通信システムにおける課金方法において、
通信終了後に、着信側端末から、通信料金を計算、管理する料金装置に直接、または通信システムの通信装置を経て、直前に着信した通信について該着信側端末が通信料金を負担することを示す特定識別符号を送信し、該料金装置は、該特定識別符号の内容に基づいて、該着信側端末との直近の通信において発信側端末に課金された通信料金の一部または全部を該着信側端末へ課金することを特徴とする着信側選択負担式課金方法。
【請求項２】
端末同士が通信網を介して通信を行う通信システムにおいて、端末毎、かつ通信毎に発信側および着信側の端末識別コード、通話料金、通信時刻が記録される通信料金フィールドを有し、通信が終了すると、通信料金を計算し、発信側端末の通信料金フィールドに発信側および着信側の端末識別コード、該通信料金、通信時刻を記録する料金装置において、
着信側端末から直接、または通信システムの通信装置を経て特定識別符号を受信し、該特定識別符号が、直前に着信した通信について着信側端末が通信料金を負担することを示す着信側料金負担符号であると、該着信側端末の識別コードから該着信側端末の通信料金フィールドを特定し、また該着信側端末が直近に通信した発信側端末の識別コードから該発信側端末の通信料金フィールドのうち、前記着信側端末への直近の通信に対する通信料金フィールドを特定する手段と、
前記の特定された、前記発信側端末の通信料金フィールドに記録された通信料金を前記特定識別符号に含まれる料金比率符号に基づいて減額し、減額に相当する通信料金を前記着信側端末の通信料金フィールドに記録する手段とを
有することを特徴とする料金装置。
【発明の詳細な説明】
【技術分野】
【０００１】
本発明は、端末同士が通信網を介して通信を行い、通信終了後に発信側端末に通信料金が課金される通信システムにおける課金方法に関する。
【背景技術】
【０００２】
近年、コレクトコールやフリーダイヤルなど、着信側に通信料金を課金するサービスが提供されている（非特許文献１、非特許文献２）。
【非特許文献１】コレクトコール    http://www.ntt-west.co.jp/basic/sanketa/
【非特許文献２】フリーダイヤル    http://www.ntt.com/freedial/
【特許文献１】特開平０６―２７６２７３号公報
【発明の開示】
【発明が解決しようとする課題】
【０００３】
しかし、これらはいずれも発信者側が意識的に特定の番号をダイヤルすることによって提供されるものであり、着信側が通話の内容や相手によって判断して通信料金の一部または全部を負担することができないという問題があった。また、通信前に発信者を伝えて通信料金を払うかどうかを着信側に確認してから通信を開始する方法（特許文献１）も提案されているが、着信側は通信の内容を事前に把握できず、通信料を着信側が支払うかどうかの判断が困難であるという問題があった。
【０００４】
本発明の目的は、着信側端末が通話相手や通信の内容によって通信料金を負担するかどうかを判断できる課金方法および料金装置を提供することにある。
【課題を解決するための手段】
【０００５】
本発明は、通信終了直後に、着信側端末が通信料金を計算、管理する料金装置に直接または通信システムの通信装置を経て、直前に着信した通信について着信側端末が通信料金を負担することを示す特定識別符号を送信し、該料金装置は、特定識別符号の内容に基づき、該着信側端末との直近の通信において発信側端末に課金された通信料金の一部または全部を該着信側端末へ変更して課金するものである。
【０００６】
着信側端末では、顧客からの注文依頼の通信であれば全額負担するが、問い合せ程度であれば通信料金の５０％を負担し、単なる連絡であれば通信料金の負担は行わないなど、通信内容によって着信側端末で自由に決めることができる。
【発明の効果】
【０００７】
本発明によれば、着信側端末は通信相手や通信内容によって通信料金を負担するかどうかを判断できる利点がある。
【発明を実施するための最良の形態】
【０００８】
次に、本発明の実施の形態について図面を参照して説明する。
【０００９】
図１は本発明の課金方法が適用される通信システムの一例を示している。
【００１０】
本通信システムは通信端末１、２と、公衆網、インターネット等の通信網３と、通信装置４と、料金装置５と、記録装置６を有している。通信端末は勿論多数存在するが、ここでは説明を簡単にするために、２台とし、通信端末１を着信側、通信端末２を発信側としている。
【００１１】
通信装置４は、端末１、２同士の通信が終了すると、料金装置５へ発信側端末２の端末識別コード、着信側端末１の端末識別コード、通信時刻などを送信して発信側端末２に対して通信料金を課金するように指示する。
【００１２】
料金装置５は、図２に示すように、通信装置４から受信した、発信側端末２の端末識別コード、着信側端末１の端末識別コード、通信時間などを識別して通信料金を計算し、記録装置６の発信側端末２の料金フィールドに着信側端末１の端末識別コードおよび通信時刻、通信料金を記録する通信料金記録部１１と、着信側端末１から送信された特定識別符号を受信し、分析を行い、直前に着信した通信について着信側端末１が通信料金を負担することを示す着信側料金負担符号であることが分かると、該特定識別符号を送信した着信側端末１の端末識別コードを記録装置６へ送り、該当する通信料金フィールドの検索を依頼する特定識別符号分析部１２と、記録装置６から受け取った、発信側端末２の通信料金フィールドの通信料金を、特定識別符号に含まれ、着信側端末１が負担する通信料金の比率を示す料金比率符号にしたがって減算して、減算後の通信料金を発信側端末１の通信料金フィールドへ記録し、さらに着信側端末１の通信料金フィールドに前記減算額に相当する通信料金を着信側負担分として記録する通信料金減算部１３を有している。料金比率符号は“１”なら２５％、“２”なら５０％、“３”なら７５％、“４”なら１００％などと決めておく。すなわち料金比率符号が“２”なら、直前の通信料金の５０％を着信側で負担することを示している。
【００１３】
記録装置６は料金装置５から受信した端末識別コードと現在の時刻を基に着信側端末１の端末識別コードが含まれ、かつ現在の時刻に最も近い通信料金フィードを検索し、該通信料金フィールドに含まれる発信側端末２の端末識別コード、着信側端末１の端末識別コード、通信時刻、および通信料金を料金装置５へ返す。
【００１４】
次に、本実施形態の動作を図３により説明する。
【００１５】
まず、発信側端末２と着信側端末１とが通信網３の通信装置４を経由して通信を行う（ステップ１０１）。通信が終了すると、通信装置４は料金装置５へ発信側端末２の端末識別コード、着信側端末１の端末識別コード、通信時刻などを送信して通信料金を発信側端末２に対して課金するよう指示する（ステップ１０２）。料金装置５では、通信料金計算部１１が、受信した発信側端末２の端末識別コード、着信側端末１の端末識別コード、通信時間などを識別して通信料金を計算し、記録装置６の発信側端末２の通信料金フィールドに着信側端末１の端末識別コードおよび通信時刻、通信料金を記録する（ステップ１０３）。一方、着信側端末１は、前記通信の通信料金を自分の負担とすることとして着信側端末１の端末識別コードと特定識別符号を料金装置５へ送信する（ステップ１０４）。料金装置５の特定識別符号解析部１２は特定識別符号を受信し、分析を行い、着信側料金負担符号であることが分かると、該特定識別符号を送信した着信側端末１の端末識別コードを記録装置６へ送り、該当する通信料金フィールドの検索を依頼する（ステップ１０５）。記録装置６では受信した端末識別コードと現在の時刻を基に着信側端末１の端末識別コードが含まれ、かつ現在の時刻に最も近い通信料金フィールドを検索し、該通信料金フィールドに含まれる発信側端末２の通信料金フィールドのうち、着信側端末１への真近の通信に対する通信料金フィールドを特定し、該通信料金フィールドに含まれる発信側端末２の端末識別コード、着信側端末１の端末識別コード、通信時刻、および通信料金を料金装置５へ返す（ステップ１０６）。料金装置５の通信料金減算部１３では、記録装置６から受け取った、発信側端末２の通信料金フィールドの通信料金を料金比率符号にしたがって減算して（ステップ１０７）、減算後の通信料金を発信側端末１の該通信料金フィールドへ記録する（ステップ１０８）。さらに着信側端末１の通信料金フィールドに前記減算額に相当する通信料金を着信側負担分として記録する（ステップ１０９）。
【００１６】
なお、特定識別符号は、“＃１２３”など通信装置４が受信できる形式として、一旦、通信装置４で受信して、その内容を料金装置５へ通知する方法であってもよい。
【図面の簡単な説明】
【００１７】
【図１】本発明の課金方法が適用される通信システムの一例を示す構成図である。
【図２】料金装置の構成例を示すブロック図である。
【図３】図１の通信システムの動作シーケンスを示す図である。
【符号の説明】
【００１８】
１  通信端末（着信側）
２  通信端末（発信側）
３  通信網
４  通信装置
５  料金装置
６  記録装置
１１  通信料金計算部
１２  特定識別符号解析部
１３  通信料金減算部
１０１〜１０９  ステップ
【図１】
2005236628.tif 000003
【図２】
2005236628.tif 000004
【図３】
2005236628.tif 000005